(57)【要約】【課題】昇温対象部への蒸気の供給と、昇温対象部で凝縮した凝縮水の回収とをコンパクトな構成で効率よく行うことを課題とする。【解決手段】エンジンの暖機装置は、凝縮した状態の冷媒をエンジンの廃熱により蒸気化させる蒸気発生部の上流側に配置された凝縮水流通部と、前記蒸気発生部の下流側に配置された蒸気流通部と、前記凝縮水流通部と前記蒸気流通部とを接続し、前記蒸気流通部から昇温対象部へ蒸気を供給するとともに、前記昇温対象部で凝縮した凝縮水を前記凝縮水流通部へ戻す複合流通部とを有する冷媒循環経路と、を備える。前記蒸気流通部と前記複合流通部とを接続する第１接続部を前記凝縮水流通部と前記複合流通部とを接続する第２接続部よりも高い位置に設け、前記複合流通部内の凝縮水を前記凝縮水流通部へ向かって流下させる。【選択図】図２
2013113151.tif 000002
【特許請求の範囲】
【請求項１】
凝縮した状態の冷媒をエンジンの廃熱により蒸気化させる蒸気発生部の上流側に配置された凝縮水流通部と、前記蒸気発生部の下流側に配置された蒸気流通部と、前記凝縮水流通部と前記蒸気流通部とを接続し、前記蒸気流通部から昇温対象部へ蒸気を供給するとともに、前記昇温対象部で凝縮した凝縮水を前記凝縮水流通部へ戻す複合流通部とを有する冷媒循環経路と、を備え、
前記蒸気流通部と前記複合流通部とを接続する第１接続部を前記凝縮水流通部と前記複合流通部とを接続する第２接続部よりも高い位置に設け、前記複合流通部内の凝縮水を前記凝縮水流通部へ向かって流下させるエンジンの暖機装置。
【請求項２】
前記凝縮水流通部と前記複合流通部とを接続する他の接続部を備えた請求項１記載のエンジンの暖機装置。
【請求項３】
前記複合流通部から分岐して前記昇温対象部へ延びる枝管を備え、前記枝管の中心軸線を前記複合流通部の軸方向に沿う中心軸線よりも高い位置に設けた請求項１又は２記載のエンジンの暖機装置。
【発明の詳細な説明】
【技術分野】
【０００１】
本発明はエンジンの暖機装置に関する。
【背景技術】
【０００２】
従来、エンジンの廃熱を利用し、冷媒を蒸発させ、この蒸気をシリンダ等の昇温対象部へ供給することで、エンジンの暖機を促進する暖機装置が知られている。例えば、特許文献１には、蒸発部で排気熱により気化した熱媒体を凝縮部へ流通させる蒸気通路と、熱交換により凝縮した熱媒体を凝縮部から蒸発部へ流通させる液体通路とを備えたエンジンの暖機装置が開示されている。
【０００３】
また、特許文献２には、内部にウィックを備えたパイプを採用し、凝縮水通路と蒸気通路を共用するヒートパイプが開示されている。
【先行技術文献】
【特許文献】
【０００４】
【特許文献１】特開２００８−２５５９４４号公報
【特許文献２】特公平６−２９５５１号公報
【発明の概要】
【発明が解決しようとする課題】
【０００５】
しかしながら、上記特許文献１に開示された構成を採用した場合、液体通路と蒸気通路とを別個に設けているため、車両への搭載スペース上、不利になりやすい。また、上記特許文献２に開示されたヒートパイプを採用した場合には、同一パイプ内を凝縮水と蒸気が流通するため、凝縮水が蒸気の流通を阻害し、暖機効率が低下する恐れがある。
【０００６】
そこで本明細書開示のエンジンの暖機装置は、昇温対象部への蒸気の供給と、昇温対象部で凝縮した凝縮水の回収とをコンパクトな構成で効率よく行うことを課題とする。
【課題を解決するための手段】
【０００７】
上記課題を解決するために本明細書開示のエンジンの暖機装置は、凝縮した状態の冷媒をエンジンの廃熱により蒸気化させる蒸気発生部の上流側に配置された凝縮水流通部と、前記蒸気発生部の下流側に配置された蒸気流通部と、前記凝縮水流通部と前記蒸気流通部とを接続し、前記蒸気流通部から昇温対象部へ蒸気を供給するとともに、前記昇温対象部で凝縮した凝縮水を前記凝縮水流通部へ戻す複合流通部とを有する冷媒循環経路と、を備え、前記蒸気流通部と前記複合流通部とを接続する第１接続部を前記凝縮水流通部と前記複合流通部とを接続する第２接続部よりも高い位置に設け、前記複合流通部内の凝縮水を前記凝縮水流通部へ向かって流下させることを特徴とする。
【０００８】
複合流通部内に蒸気と凝縮水を流通させることにより、配管数を削減してコンパクトな構成とすることができる。また、第１接続部を第２接続部よりも高い位置に設けたので、凝縮水が蒸気の流通を妨げることなく複合流通部内を流下し、昇温対象部の効率よい昇温を行うことができる。
【０００９】
本明細書開示のエンジンの暖機装置は、前記凝縮水流通部と前記複合流通部とを接続する他の接続部を備えることができる。凝縮水流通部と複合流通部との接続部を複数設けることで効率よく複合流通部から凝縮水を排出することができる。これにより、複合流通部内の蒸気のエネルギ損失が抑制される。この結果、昇温対象部を効率よく昇温させ、暖機速度を向上させることができる。これにより、冷間始動のエンジンのフリクションが早期に低減するため、燃費が向上する。
【００１０】
本明細書開示のエンジンの暖機装置は、前記複合流通部から分岐して前記昇温対象部へ延びる枝管を備え、前記枝管の中心軸線を前記複合流通部の軸方向に沿う中心軸線よりも高い位置に設けることができる。
【００１１】
凝縮水は、各配管内の底部を流れる。これに対し、蒸気は、各配管内の上方（天側）を流れる。そこで、枝管の中心軸線を複合流通部の中心軸線よりも高い位置に設定することにより、凝縮水の流れが蒸気の流れを阻害しにくい状態とする。この結果、配管内を蒸気が効率よく流通し、昇温対象部を早期に昇温させ、暖機を促進することができる。
【発明の効果】
【００１２】
本明細書に開示されたエンジンの暖機装置によれば、昇温対象部への蒸気の供給と、昇温対象部で凝縮した凝縮水の回収とをコンパクトな構成で効率よく行うことができる。
【図面の簡単な説明】
【００１３】
【図１】図１は実施例１のエンジンの暖機装置を側面側からみた状態を示す概念図である。
【図２】図２は実施例１のエンジンの暖機装置を正面側からみた状態を示す概念図である。
【図３】図３は図２におけるＡ−Ａ線断面図である。
【図４】図４は実施例２のエンジンの暖機装置を正面側からみた状態を示す概念図である。
【発明を実施するための形態】
【００１４】
以下、本発明を実施するための形態を図面と共に詳細に説明する。ただし、図面中、各部の寸法、比率等は、実際のものと完全に一致するようには図示されていない場合がある。
【実施例１】
【００１５】
実施例１のエンジンの暖機装置（以下、単に「暖機装置」という）１について図１乃至３を参照しつつ説明する。図１は、実施例１の暖機装置１を側面側からみた状態を示す概念図である。図２は、実施例１の暖機装置１を正面側からみた状態を示す概念図である。図３は、図２におけるＡ−Ａ線断面図である。
【００１６】
暖機装置１は、冷媒循環経路２を備える。図１において、一点鎖線で囲まれた部分が冷媒循環経路２に相当する。冷媒循環経路２には、蒸気発生部３が設けられている。この蒸気発生部３には、エンジンの排気管４が引き込まれている。冷媒循環経路２内を循環する冷媒は、この蒸気発生部３においてエンジンの排気と熱交換することにより凝縮した液体状態から蒸気となる。すなわち、蒸気発生部３は、凝縮した状態の冷媒をエンジンの廃熱により蒸気化させる。蒸気化した冷媒は、エンジン各部の昇温、暖機に用いられる。本実施例では、昇温対象部をクランクキャップ１０ａ〜１０ｅとした場合について説明するが、昇温対象部は、これに限定されず、他の箇所を選定することもできる。クランクキャップ１０ａ〜１０ｅは、クランクシャフト１１を支持するもので、それぞれが分離したブロック状となっている。このため、それぞれのクランクキャップ１０ａ〜１０ｅに対して蒸気を導入する枝管９ａ〜９ｅを備えている。この枝管９ａ〜９ｅについては後に詳述する。
【００１７】
冷媒循環経路２において、蒸気発生部３の上流側には、凝縮水流通部５が配置されている。また、蒸気発生部３の下流側には、蒸気流通部６が配置されている。凝縮水流通部５には、リザーブタンク７が設けられている。
【００１８】
冷媒循環経路２は、複合流通部８を備える。複合流通部８は、凝縮水流通部５と蒸気流通部６とを接続する。そして、複合流通部８は、蒸気流通部６から導入された蒸気を昇温対象部である個々のクランクキャップ１０ａ〜１０ｅへ供給する。さらに、複合流通部８は、クランクキャップ１０ａ〜１０ｅで凝縮した凝縮水を凝縮水流通部５へ戻す。このように、複合流通部８には、クランクキャップ１０ａ〜１０ｅへ向かって流通する蒸気と、クランクキャップ１０ａ〜１０ｅから戻される凝縮水とが同一の配管内を流通する。
【００１９】
図２を参照すると、蒸気流通部６と複合流通部８とを接続する第１接続部Ｃ１は、凝縮水流通部５と複合流通部８とを接続する第２接続部Ｃ２よりも高い位置に設けられている。すなわち、複合流通部８の中心軸線ＡＸ１は、水平線ＬＬに対して傾斜しており、複合流通部８内の凝縮水を凝縮水流通部５へ向かって流下させるようになっている。これにより、凝縮水が凝縮水流通部５へ戻され、再び蒸気発生部３へ供給される。複合流通部８において、凝縮水は複合流通部８を形成する配管の底部を流れ、一方、蒸気は、天側を流れるため、両者は互いに流通することができる。この結果、配管数を削減したコンパクトな構成とすることができる。
【００２０】
複合流通部８からは、各クランクキャップ１０ａ〜１０ｅへ接続される枝管９ａ〜９ｅが分岐している。最も上流側に位置する枝管９ａは、第１接続部Ｃ１と一致する箇所から分岐している。そして、下流側に向かって順に枝管９ｂ、９ｃが分岐し、枝管９ｄは、第２接続部Ｃ２と一致する箇所から分岐している。そして、クランクキャップ１０ｅへ接続されている枝管９ｅは、延長部８ａを介して複合流通部８から分岐している。このように、枝管への最初の分岐点となる第１接続部Ｃ１と最下流の分岐点となる第２接続部Ｃ２とを結ぶ複合流通部８は、第１接続部Ｃ１から第２接続部Ｃ２へ向かう下り傾斜となる。延長部８ａは、複合流通部８と傾斜方向が異なっているが、複合流通部８と同様に、内部に蒸気と凝縮水とが流通する。なお、延長部８ａにおいて、蒸気は、その流通方向に対して登り斜面となるが、蒸気は、高圧であることから、クランクキャップ１０ｅまで供給される。
【００２１】
ここで、枝管９ａ〜９ｄと複合流通部８との接合について図３を参照しつつ説明する。図３は、図２におけるＡ−Ａ線断面図である。すなわち、枝管９ｃの中心軸線ＡＸ２に沿った断面である。図３から明らかなように、枝管９ｃの中心軸線ＡＸ２は、複合流通部８の流通方向に沿う中心軸線ＡＸ１よりも高い位置に設けられている。なお、図３中、ハッチングで示した部分は、凝縮水を表している。
【００２２】
中心軸線ＡＸ１、ＡＸ２をこのように配置し、枝管９ｃを形成する配管が複合流通部を形成する配管の中心線よりも上部側に接合させることにより、複合流通部８内を流通する蒸気は、枝管９ｃに流入し易い。また、凝縮水の流れが蒸気の流れを阻害しにくくなる。この結果、クランクキャップ１０ｃを効率よく昇温することができ、エンジンの暖機速度を向上させることができる。これにより、早期にエンジン内のフリクションを低減することができるので、燃費を向上させることができる。
【００２３】
他の枝管９ａ、９ｂ、９ｄにおいても、各枝管の中心軸線ＡＸ２は、複合流通部８の中心軸線ＡＸ１と同様の位置関係を有している。また、枝管９ｅと延長部８ａとの接続部においても、同様に中心軸をずらした構成が採用されている。
【００２４】
本実施例の暖機装置１では、複数の昇温対象部となる各クランクキャップ１０ａ〜１０ｅに対して枝管９ａ〜９ｅを介して蒸気の供給と凝縮水の回収が行われる。すなわち、昇温対象部に接続される個別の蒸気ループが不要となる。個別の蒸気ループを設ける場合、これを形成する配管が必要となり、装置は大型化する。また、配管が多くなると、それだけ、熱容量や外部への伝熱面積が増大することになり、放熱が増加する。この結果、昇温対象部へ効率的に伝熱することが困難となる。また、蒸気ループを構築するための加工等も大掛かりなものとなるため、コスト面でも不利となる。本実施例の暖機装置１では、枝管９ａ〜９ｅを採用したことにより、昇温対象部へ接続される個別の蒸気ループ（凝縮水を回収するための専用の配管）が不要となるため、これらの点で有利である。
【００２５】
本実施例の暖機装置であれば、複合流通部８、さらに、枝管９ａ〜９ｅにおいて蒸気と凝縮水を同一の配管内を流通させ、しかも、その配管を傾斜させて設けて凝縮水を回収するようにしたため、効率よく昇温対象部を昇温することができる。
【００２６】
また、凝縮水を回収するための専用の配管が不要であるため、配管の配管の総全長を短くすることができるので、コスト面や車両への搭載性を改善することができる。また、複合流通部８が傾斜しているので、凝縮水を流し易く、効率的な回収が可能となる。
【実施例２】
【００２７】
つぎに、図４を参照して、実施例２について説明する。実施例２の暖機装置５０は、以下の点において実施例１の暖機装置１と異なる。すなわち、実施例２の暖機装置５０は、凝縮水流通部６と複合流通部８とを接続する他の接続部、すなわち、第３接続部Ｃ３を備えている。具体的に、一端が第３接続部Ｃ３で複合流通部８に接続されるとともに、他端が凝縮水流通部６に設けられたリザーブタンク７へ接続された短絡管５１を備えている。凝縮水は、複合流通部８を形成する配管の底部を流れるため、短絡管５１は、複合流通部８を形成する配管の底部へ接続されていることが望ましい。なお、実施例１と共通する構成要素については、図面中、同一の参照番号を付し、その詳細な説明は省略する。
【００２８】
短絡管５１を備えることで、複合流通部８から凝縮水を効率よく排出することができる。すなわち、蒸気と凝縮水との接触をできるだけ抑制することにより、蒸気の流れを阻害することを抑制し、また、蒸気の温度低下を抑制することができる。この結果、蒸気のエネルギ損失が抑制され、効率よく昇温対象部を暖め、暖機速度を向上させることができる。短絡管の数は一本に限られず、さらに多くの本数を設けることもできる。
【００２９】
上記実施例は本発明を実施するための一例にすぎない。よって本発明はこれらに限定されるものではなく、請求の範囲に記載された本発明の要旨の範囲内において、種々の変形、変更が可能である。
【符号の説明】
【００３０】
１、５０  暖機装置
２  冷媒循環経路
３  蒸気発生部
４  排気管
５  凝縮水流通部
６  蒸気流通部
７  リザーブタンク
８  複合流通部
８ａ  延長部
９ａ〜９ｅ  枝管
１０ａ〜１０ｅ  クランクキャップ（昇温対象部）
１１  クランクシャフト
Ｃ１  第１接続部
Ｃ２  第２接続部
Ｃ３  第３接続部（他の接続部）
ＬＬ  水平線
ＡＸ１  複合流通部の中心軸線
ＡＸ２  枝管の中心軸線
【図１】
2013113151.tif 000003
【図２】
2013113151.tif 000004
【図３】
2013113151.tif 000005
【図４】
2013113151.tif 000006